(57)【要約】      （修正有）【課題】自動車のオートスライドドアにおいて子供等の力が弱い者や荷物を持った者でも簡易に開くようなスイッチ装置を提供する。【解決手段】自動車のオートスライドドアＤの駆動を制御する制御手段に連結されるスイッチ装置として、ドアレバーもしくはドアレバー近傍に設けられるプッシュボタンスイッチ機構部１１と、前記プッシュボタンスイッチ機構部に電気的に連結され、プッシュボタンスイッチの押下により前記制御手段にドアを開閉させる信号を出力する信号端子とを有する。【選択図】図２
0003119131.tif 000002
【実用新案登録請求の範囲】
【請求項１】
自動車のオートスライドドアの駆動を制御する制御手段に連結されるスイッチ装置であって、
ドアレバーもしくはドアレバー近傍に設けられるプッシュボタンスイッチ機構部と、
前記プッシュボタンスイッチ機構部に電気的に連結され、前記プッシュボタンスイッチの押下により前記制御手段にドアを開閉させる信号を出力する信号端子と、
を有するオートスライドドア用スイッチ装置。
【請求項２】
前記プッシュボタンスイッチ機構部は、薄いゴムの膜により防水されるように覆われる請求項１に記載のオートスライドドア用スイッチ装置。
【考案の詳細な説明】
【技術分野】
【０００１】
本考案は自動車のオートスライドドアを外部から開閉させるためのスイッチに関する。
【背景技術】
【０００２】
自動車のオートスライドドアは、モーターなどの駆動手段により自動的にドアが開閉するものである。このオートスライドドアを自動的に開閉させるには、通常、ドアハンドルを引くことによりスライドドアの駆動手段の制御装置に電気信号が送られ、これにより駆動手段が作動してスライドドアが閉じているときには開き、開いているときには閉じる動作を行う。
【考案の開示】
【考案が解決しようとする課題】
【０００３】
しかし、ドアレバーを引くのはある程度の力が必要で、子供や老人などではドアが開かないという問題がある。また、手に荷物を持っているとドアレバーを引くという動作が困難になり、一旦、荷物を下ろさなければならない場合も多い。
本考案は、このような問題に鑑みて、自動車のオートスライドドアにおいて子供等の力が弱い者や荷物を持った者でも簡易に開くようなスイッチ装置を提供することを課題とする。
【課題を解決するための手段】
【０００４】
上記課題を解決するために、本考案は次のような構成を有する。
請求項１に記載の考案は、自動車のオートスライドドアの駆動を制御する制御手段に連結されるスイッチ装置であって、ドアレバーもしくはドアレバー近傍に設けられるプッシュボタンスイッチ機構部と、前記プッシュボタンスイッチ機構部に電気的に連結され、前記プッシュボタンスイッチの押下により前記制御手段にドアを開閉させる信号を出力する信号端子とを有するオートスライドドア用スイッチ装置である。
請求項２に記載の考案は、前記オートスライドドア用スイッチ装置において、前記プッシュボタンスイッチ機構部は、薄いゴムの膜により防水されるように覆われるものである。
【考案の効果】
【０００５】
請求項１に記載の考案は、自動車のオートスライドドアを開閉させる信号を発生させるスイッチ機構部をプッシュスイッチとすることで、押す力によって操作するようにしたものである。これにより、子供等の力のない者でも体重を利用して容易にスイッチを入れることができ、また、荷物を持っていても、押す動作は比較的簡単に行うことができるので、荷物を持った者も開閉動作を容易に行うことができる。
請求項２に記載の考案は、プッシュボタンスイッチ機構部を薄いゴムの膜により防水されるように覆うことで、雨や洗車などで車の外面が濡れても、スイッチ機構部が濡れることなく、また、薄いゴムの膜により覆うことで、外からボタンを押下することができる。
【考案を実施するための最良の形態】
【０００６】
以下、本考案の実施形態について、図面を参照しながら説明する。図１に実施形態に係るプッシュボタンスイッチ装置を設けたオートスライドドアＤの一部拡大正面図を示し、図２に図１のＡ−Ａ拡大断面図を示す。オートスライドドアＤには、ドアレバーＬが設けられ、ドアレバーＬの一端にはドアハンドルカバーＣが設けられている。そして、ドアハンドルカバーＣには中央に丸穴が設けられ、ここに、ゴムの覆い１２に隠されるように、プッシュボタンスイッチ機構部１１が内蔵されている。覆い１２は、円筒形で上面に薄い膜上の蓋部が形成されており、この蓋部は容易に変形することができる。また、覆い１２の側面には溝が形成してあり、この溝がハンドルカバーＣに形成される丸穴に係合するようになっている。さらに、防水のために、覆い１２とハンドルカバーＣとはホットボンドによりシーリングされて固定される。プッシュボタンスイッチ機構部１１は、市販のタクティカルプッシュスイッチであり、覆い１２の蓋部を押下するとスイッチが押下される位置に固定されている。プッシュボタンスイッチ機構部１１はスミチューブにより被覆された２本の導線が接続され、導線の先端には、図示しないギボシ端子を通じて、後述するＭＣＵ（microcontoller unit）に接続される。端子は電源からの電力供給を受ける電源端子と、前記プッシュボタンスイッチの押下によりＭＣＵににドアを開閉させる信号を出力する信号端子とがある。
図３に、プッシュボタンスイッチ装置を含む、オートスライドドア駆動装置の機能ブロック図を示す。オートスライドドア駆動装置は、ＭＣＵ１０１、オートスライドドア駆動モーター１０２、レバースイッチ装置１０３、プッシュボタンスイッチ装置１０４とから構成される。ＭＣＵ１０１はマイクロプロセッサとＲＡＭ、ＲＯＭ、インターフェース等からなる制御装置であり、記憶されたプログラムに従った動作を行う。オートスライドドア駆動モーター１０２は電動モーターであり、オートスライドドアの開閉動作を行う。なお、オートスライドドア駆動モーター１０２は、ドアが開いているときはドアを閉じるように駆動し、ドアが閉じているときはドアを開けるように駆動する。レバースイッチ装置１０３は、ドアレバーＬを引くと作動するスイッチとスイッチ回路とから構成され、ドアレバーＬが引かれることにより、ＭＰＵ１０１に信号を送る。プッシュボタンスイッチ装置１０４は、プッシュボタンスイッチ機構１０４ａと、スイッチ回路１０４ｂとから構成され、プッシュボタン機構部１１が押下されることにより、ＭＰＵ１０１に信号を送る。図４にプッシュボタン装置１０４の回路構成を示しておく。
【０００７】
次に、このような構成を有するオートスライドドア駆動装置の動作について説明する。図５にかかる動作を表すフローチャートを示す。まず、ＭＰＵ１０１は、常時、レバースイッチ装置１０３およびプッシュボタンスイッチ装置１０４からの信号入力を待っている（ｓ１０１、ｓ１０２）。そして、プッシュボタンスイッチ装置１０４が押下されると、ＭＰＵ１０１に信号が入力され、ＭＣＵ１０１はこれに応じてスライドドア駆動モーター１０２を駆動させる（ｓ１０１、ｓ１０３）。また、プッシュボタンスイッチ装置１０４の代わりに、ドアレバーＬが引かれると、やはり、ＭＰＵ１０１に信号が入力され、ＭＣＵ１０１はこれに応じてスライドドア駆動モーター１０２を駆動させる（ｓ１０２、ｓ１０３）。
以上のように、ワンタッチでスライドドアを開閉するプッシュボタンスイッチ装置をスライドドアレバースイッチと併用で設けることにより、子供や老人など力の弱い者や、荷物を持っている者は、選択的にプッシュボタンスイッチ装置を利用してスライドドアを開閉することができる。
【図面の簡単な説明】
【０００８】
【図１】プッシュボタンスイッチ装置を設けたオートスライドドアの一部拡大正面図である。
【図２】図１のＡ−Ａ拡大断面図である。
【図３】プッシュボタンスイッチ装置を含む、オートスライドドア駆動装置の機能ブロック図である。
【図４】プッシュボタンスイッチ装置の回路構成を示すブロック図である。
【図５】オートスライドドア駆動装置の動作を示すフローチャートである。
【符号の説明】
【０００９】
１１  プッシュボタンスイッチ機構部
１２  覆い
１０４  プッシュボタンスイッチ装置
D    スライドドア
【図１】
0003119131.tif 000003
【図２】
0003119131.tif 000004
【図３】
0003119131.tif 000005
【図４】
0003119131.tif 000006
【図５】
0003119131.tif 000007